(57)【要約】  ECHONET Lite（登録商標）規格に準拠したＨＥＭＳネットワーク５に接続するＨＥＭＳ端末７とアダプタ１０とを含む機器制御システム１の制御方法である。アダプタ１０は、ＨＥＭＳネットワーク５を介して非対応電気機器２を対象とした電文を受信すると、変換情報５０に基づき、電文に含まれているプロパティコードに対応するリモコンコードを取得し、取得したリモコンコードを含むリモコン信号を送信して非対応電気機器２を制御する。ＨＥＭＳサーバ６は、アダプタ１０から非対応電気機器２に対して送信されたリモコン信号の送信履歴に基づき非対応電気機器２の稼働状況６６３を特定し、ユーザの状況を判定する条件である判定条件６６１を記憶し、非対応電気機器２稼働状況６６３に判定条件６６１を適用することにより得られる判定結果に基づき、ユーザの状況を判定する。
2018003010.tif 000002
【特許請求の範囲】
【請求項１】
所定の通信規格に準拠した通信ネットワークに接続し、前記通信ネットワークを介して送られてくる電文を受信し、前記電文の内容に応じて、前記通信規格に非対応の電気機器である非対応電気機器を制御するアダプタと、
前記アダプタと通信可能に接続する情報処理装置と、
を含む機器制御システムの制御方法であって、
前記アダプタが、
前記通信規格における前記非対応電気機器に対応する制御コードと前記非対応電気機器のリモコンコードとの対応を示す情報である変換情報を記憶するステップ、
前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信するステップ、
前記非対応電気機器に対する前記リモコン信号の時系列的な送信履歴であるリモコン信号送信履歴を前記情報処理装置に送信するステップ、
を実行し、
前記情報処理装置が、
前記アダプタから前記非対応電気機器に対する前記リモコン信号送信履歴を受信するステップ、
前記リモコン信号送信履歴に基づき前記非対応電気機器の稼働状況を特定するステップ、
前記非対応電気機器の前記稼働状況に適用される、前記非対応電気機器を利用するユーザの状況を判定する条件である判定条件を記憶するステップ、
前記非対応電気機器の前記稼働状況に前記判定条件を適用することにより得られる判定結果に基づき、前記ユーザの状況を判定するステップ、
を実行する、
機器制御システムの制御方法。
【請求項２】
請求項１に記載の機器制御システムの制御方法であって、
前記機器制御システムは複数の前記非対応電気機器を含み、
前記判定条件は、複数の前記非対応電気機器の夫々について個別に設定された判定条件である要素条件を含み、
前記情報処理装置は、複数の前記非対応電気機器の夫々について設定された前記要素条件を夫々の前記稼働状況に適用することにより得られる複数の判定結果に基づき、前記ユーザの状況を判定する、
機器制御システムの制御方法。
【請求項３】
請求項１又は２に記載の機器制御システムの制御方法であって、
前記稼働状況は前記非対応電気機器の電源のオンオフ状態を示す情報を含み、
前記判定条件は、前記非対応電気機器の電源がオン又はオフのいずれの状態になっているかを判定する条件を含む、
機器制御システムの制御方法。
【請求項４】
請求項２に記載の機器制御システムの制御方法であって、
前記稼働状況は前記非対応電気機器の電源のオンオフ状態を示す情報を含み、
前記判定条件は、少なくとも一つ以上の前記非対応電気機器がオンになっている場合に真となり、
前記情報処理装置は、前記判定条件が真である場合に前記ユーザが在宅中であると判定する、
機器制御システムの制御方法。
【請求項５】
請求項２に記載の機器制御システムの制御方法であって、
前記稼働状況は前記非対応電気機器の電源のオンオフ状態を示す情報を含み、
第１の前記要素条件として、第１の前記非対応電気機器の電源がオンになっている場合に判定結果が真になるという条件が設定され、
第２の前記要素条件として、前記第２の非対応電気機器の電源が所定時間以上オフになっている場合に判定結果が真になるという条件が設定され、
前記情報処理装置は、前記第１の要素条件の判定結果と前記第２の要素条件の判定結果のいずれもが真である場合に前記ユーザに異常が生じていると判定する、
機器制御システムの制御方法。
【請求項６】
請求項１又は２に記載の機器制御システムの制御方法であって、
前記通信規格は、ECHONET Lite（登録商標）規格であり、前記制御コードは、ECHONET Lite（登録商標）規格におけるプロパティコードである、
機器制御システムの制御方法。
【請求項７】
請求項１又は２に記載の機器制御システムの制御方法であって、
前記情報処理装置は、インターネットを介してクラウドサーバと通信する装置であるクラウド通信装置を備え、
前記情報処理装置は、前記ユーザの状況を判定した結果を前記クラウドサーバに送信するステップを実行する、
機器制御システムの制御方法。
【請求項８】
所定の通信規格に準拠した通信ネットワークに接続し、前記通信ネットワークを介して送られてくる電文を受信し、前記電文の内容に応じて、前記通信規格に非対応の電気機器である非対応電気機器を制御する複数のアダプタと、
前記複数のアダプタの夫々と通信する情報処理装置と、
を含んで構成される、機器制御システムであって、
前記アダプタは、
前記通信規格における前記非対応電気機器に対応する制御コードと前記非対応電気機器のリモコンコードとの対応を示す情報である変換情報を記憶する変換情報記憶部と、
前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信する、リモコン信号送信部と、
を備え、
前記情報処理装置は、
前記アダプタから前記非対応電気機器に対する前記リモコン信号送信履歴を受信するリモコン信号送信履歴受信部と、
前記リモコン信号送信履歴に基づき前記非対応電気機器の稼働状況を特定する稼働状況特定部と、
前記非対応電気機器の前記稼働状況に適用される、前記非対応電気機器を利用するユーザの状況を判定する条件である判定条件を記憶する判定条件記憶部と、
前記非対応電気機器の前記稼働状況に前記判定条件を適用することにより得られる判定結果に基づき、前記ユーザの状況を判定するユーザ状況判定部と、
を備える、機器制御システム。
【請求項９】
請求項８に記載の機器制御システムであって、
前記機器制御システムは複数の前記非対応電気機器を含み、
前記判定条件は、複数の前記非対応電気機器の夫々について個別に設定された判定条件である要素条件を含み、
前記ユーザ状況判定部は、複数の前記非対応電気機器の夫々について設定された前記要素条件を夫々の前記稼働状況に適用することにより得られる複数の判定結果に基づき、前記ユーザの状況を判定する、
機器制御システム。
【請求項１０】
請求項８又は９に記載の機器制御システムであって、
前記稼働状況は前記非対応電気機器の電源のオンオフ状態を示す情報を含み、
前記判定条件は、前記非対応電気機器の電源がオン又はオフのいずれの状態になっているかを判定する条件を含む、
機器制御システム。
【請求項１１】
請求項９に記載の機器制御システムであって、
前記稼働状況は前記非対応電気機器の電源のオンオフ状態を示す情報を含み、
前記判定条件は、少なくとも一つ以上の前記非対応電気機器がオンになっている場合に真となり、
前記ユーザ状況判定部は、前記判定条件が真である場合に前記ユーザが在宅中であると判定する、
機器制御システム。
【請求項１２】
請求項９に記載の機器制御システムであって、
前記稼働状況は前記非対応電気機器の電源のオンオフ状態を示す情報を含み、
第１の前記要素条件として、第１の前記非対応電気機器の電源がオンになっている場合に判定結果が真になるという条件が設定され、
第２の前記要素条件として、前記第２の非対応電気機器の電源が所定時間以上オフになっている場合に判定結果が真になるという条件が設定され、
前記ユーザ状況判定部は、前記第１の要素条件の判定結果と前記第２の要素条件の判定結果のいずれもが真である場合に前記ユーザに異常が生じていると判定する、
機器制御システム。
【請求項１３】
請求項８又は９に記載の機器制御システムであって、
前記通信規格は、ECHONET Lite（登録商標）規格であり、前記制御コードは、ECHONET Lite（登録商標）規格におけるプロパティコードである、
機器制御システム。
【請求項１４】
請求項８又は９に記載の機器制御システムであって、
前記情報処理装置は、インターネットを介してクラウドサーバと通信する装置であるクラウド通信装置を備え、
前記情報処理装置は、前記ユーザの状況を判定した結果を前記クラウドサーバに送信するユーザ状況情報送信部を備える、
機器制御システム。
【発明の詳細な説明】
【技術分野】
【０００１】
この発明は、機器制御システムの制御方法、及び機器制御システムに関する。
【背景技術】
【０００２】
特許文献１には、既存の防災無線システムを利用し、住民の在宅状況の予測情報を供給することができる防災無線を利用した防災支援システム並びにこれに使用する家電操作履歴情報生成装置について記載されている。防災支援システムは、家電操作履歴データに基づき住宅の住民の在宅状況予測データを生成し、この在宅状況予測データを表示するための表示データを生成する。【０００３】
特許文献２には、ホームネットワークおよびホームサーバを使用する防犯システムに関して記載されている。ホームサーバは、家電機器の動作情報とそのときの時刻を、駆動履歴として記憶し、駆動履歴に基づき家電機器ごとの駆動予定時刻と動作方法を含む動作スケジュールを作成し、動作スケジュールにしたがって、家電機器に駆動指示を出力する。
【先行技術文献】
【特許文献】
【０００４】
【特許文献１】特開２０１０−７４２７３号公報
【特許文献２】特開２００５−２７７９６５号公報
【非特許文献１】エコーネットコンソーシアム、”ECHONET Lite規格書 Ver.1.12（日本語版、英語版）”、［online］、1997-2016、［平成28年6月2日検索］、インターネット〈URL：http://echonet.jp/spec/〉
【発明の概要】
【発明が解決しようとする課題】
【０００５】
ＨＥＭＳ（Home Energy Management System）を構成する通信ネットワークに関する規格としてECHONET Lite（登録商標）規格がある（非特許文献１）。上記規格では、当該規格に準拠した通信ネットワークに接続される電気機器について、（１）電気機器がフルECHONET Lite機器である場合、（２）ECHONET Lite レディ機器である場合、及び（３）ECHONET Lite（登録商標）規格に対応していない電気機器の３つの場合について規定されている。【０００６】
ここで電気機器がフルECHONET Lite機器である場合（上記（１））、直接上記規格に準拠した通信ネットワークに接続することが可能である。また電気機器がECHONET Lite レディ機器である場合（上記（２））、ECHONET Liteミドルウェアアダプタを追加することで上記通信ネットワークに接続することができる。【０００７】
しかし電気機器がECHONET Lite（登録商標）規格に対応していない機器（以下、非対応電気機器と称する。）である場合（上記（３））、非対応電気機器ごとに個別のアダプタを用意する必要があり、ECHONET Lite（登録商標）規格に準拠した通信ネットワークに必ずしも簡単に接続することができない。そのため、非対応電気機器についても通信ネットワークを経由して制御できるようにすることが求められている。【０００８】
一方、昨今、ＨＥＭＳを利用して高齢者や被介護者等の見守りを行うための様々な仕組みが提案されているが、それらの多くは宅内カメラやセンサ等を導入することを前提としており、導入に際して経済的な負担が大きい。またこうした宅内カメラやセンサ等を利用した監視は監視される側の心理的な抵抗も大きい。また上記仕組みの多くは緊急時に見守り対象者が自ら通報操作を行う必要があり、通報が確実になされない場合もある。【０００９】
本発明は、こうした背景に鑑みてなされたものであり、所定の通信規格に対応していない電気機器を上記通信規格に準拠した通信ネットワークから制御可能にするとともに、高齢者や被介護者等の見守りを行う仕組みを容易かつ安価に実現することが可能な、機器制御システムの制御方法、及び機器制御システムを提供することを目的としている。
【課題を解決するための手段】
【００１０】
上記目的を達成するための本発明のうちの一つは、所定の通信規格に準拠した通信ネットワークに接続し、前記通信ネットワークを介して送られてくる電文を受信し、前記電文の内容に応じて、前記通信規格に非対応の電気機器である非対応電気機器を制御するアダプタと、前記アダプタと通信可能に接続する情報処理装置と、を含む機器制御システムの制御方法であって、前記アダプタが、前記通信規格における前記非対応電気機器に対応する制御コードと前記非対応電気機器のリモコンコードとの対応を示す情報である変換情報を記憶するステップ、前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信するステップ、前記非対応電気機器に対する前記リモコン信号の時系列的な送信履歴であるリモコン信号送信履歴を前記情報処理装置に送信するステップ、を実行し、前記情報処理装置が、前記アダプタから前記非対応電気機器に対する前記リモコン信号送信履歴を受信するステップ、前記リモコン信号送信履歴に基づき前記非対応電気機器の稼働状況を特定するステップ、前記非対応電気機器の前記稼働状況に適用される、前記非対応電気機器を利用するユーザの状況を判定する条件である判定条件を記憶するステップ、前記非対応電気機器の前記稼働状況に前記判定条件を適用することにより得られる判定結果に基づき、前記ユーザの状況を判定するステップ、を実行する。【００１１】
本発明によれば、所定の通信規格に準拠した通信ネットワークにアダプタを導入することで、容易に非対応電気機器を上記通信ネットワークを介して制御可能にすることができる。また情報処理装置は、アダプタから送られてくるリモコン信号送信履歴を利用して非対応電気機器の稼働状況を特定し、これを利用してユーザの状況を判定するので、上記通信ネットワークにアダプタを導入することにより同時に高齢者や被介護者等の見守りの仕組みを容易かつ安価に実現することができる。また宅内カメラやセンサ等を導入する必要がなく、監視される側の心理的な抵抗も少ない。【００１２】
本発明の他の一つは、上記機器制御システムの制御方法であって、前記機器制御システムは複数の前記非対応電気機器を含み、前記判定条件は、複数の前記非対応電気機器の夫々について個別に設定された判定条件である要素条件を含み、前記情報処理装置は、複数の前記非対応電気機器の夫々について設定された前記要素条件を夫々の前記稼働状況に適用することにより得られる複数の判定結果に基づき、ユーザの状況を判定する。【００１３】
このように複数の非対応電気機器の夫々について設定された要素条件を夫々の稼働状況に適用することにより得られる複数の判定結果に基づき総合的にユーザの状況を判定することでユーザの状況を精度よく判定することができる。【００１４】
本発明の他の一つは、上記機器制御システムの制御方法であって、前記稼働状況は前記非対応電気機器の電源のオンオフ状態を示す情報を含み、前記判定条件は、前記非対応電気機器の電源がオン又はオフのいずれの状態になっているかを判定する条件を含む。【００１５】
本発明の他の一つは、上記機器制御システムの制御方法であって、前記稼働状況は前記非対応電気機器の電源のオンオフ状態を示す情報を含み、前記判定条件は、少なくとも一つ以上の前記非対応電気機器がオンになっている場合に真となり、前記情報処理装置は、前記判定条件が真である場合に前記ユーザが在宅中であると判定する。【００１６】
本発明によれば、電源のオンオフ状態に基づきユーザが在宅中であるか否かを判定することができる。【００１７】
本発明の他の一つは、上記機器制御システムの制御方法であって、前記稼働状況は前記非対応電気機器の電源のオンオフ状態を示す情報を含み、第１の前記要素条件として、第１の前記非対応電気機器の電源がオンになっている場合に判定結果が真になるという条件が設定され、第２の前記要素条件として、前記第２の非対応電気機器の電源が所定時間以上オフになっている場合に判定結果が真になるという条件が設定され、前記情報処理装置は、前記第１の要素条件の判定結果と前記第２の要素条件の判定結果のいずれもが真である場合に前記ユーザに異常が生じていると判定する。【００１８】
本発明によれば、第１の非対応電気機器の電源のオンオフ状態と、第２の非対応電気機器の電源のオンオフ状態とに基づき、ユーザに異常が生じているか否かを判定することができる。【００１９】
本発明の他の一つは、上記機器制御システムの制御方法であって、前記通信規格は、ECHONET Lite（登録商標）規格であり、前記制御コードは、ECHONET Lite（登録商標）規格におけるプロパティコードである。【００２０】
本発明の他の一つは、上記機器制御システムの制御方法であって、前記情報処理装置は、インターネットを介してクラウドサーバと通信する装置であるクラウド通信装置を備え、前記情報処理装置は、前記ユーザの状況を判定した結果を前記クラウドサーバに送信するステップを実行する。【００２１】
このようにユーザの状況を判定した結果をクラウドサーバに通知することで、例えば、遠隔した場所からユーザの在宅状況やユーザに異常が生じたことを確認することができる。【００２２】
その他、本願が開示する課題、及びその解決方法は、発明を実施するための形態の欄、及び図面により明らかにされる。
【発明の効果】
【００２３】
本発明によれば、所定の通信規格に対応していない電気機器を上記通信規格に準拠した通信ネットワークから制御可能にすることができ、また高齢者や被介護者等の見守りを行う仕組みを容易かつ安価に実現することができる。
【図面の簡単な説明】
【００２４】
【図１】機器制御システム１の概略的な構成を示す図である。
【図２】非対応電気機器２のハードウェア構成である。
【図３】リモコン装置３のハードウェア構成である。
【図４】対応電気機器４のハードウェア構成である。
【図５】ＨＥＭＳサーバ６のハードウェア構成である。
【図６】ＨＥＭＳサーバ６の機能及びＨＥＭＳサーバ６が記憶するデータを示す図である。
【図７】プロパティ情報６５１の一例である。
【図８】ＨＥＭＳ端末７のハードウェア構成である。
【図９】ＨＥＭＳ端末７の機能及びＨＥＭＳ端末７が記憶するデータを示す図である。
【図１０】変換情報７５２の一例である。
【図１１】アダプタ１０のハードウェア構成である。
【図１２】アダプタ１０の機能及びアダプタ１０が記憶するデータを示す図である。
【図１３】変換情報５０の一例である。
【図１４】サーバ装置８の機能及びサーバ装置８が記憶するデータを示す図である。
【図１５】変換情報設定処理Ｓ１５００を説明するフローチャートである。
【図１６Ａ】機器オブジェクト指定画面１６０１の一例である。
【図１６Ｂ】プロパティ指定画面１６０２の一例である。
【図１６Ｃ】変換情報確認画面１６０３の一例である。
【図１７】機器制御処理Ｓ１７００を説明するフローチャートである。
【図１８】情報通知処理Ｓ１８００を説明するフローチャートである。
【図１９】ユーザ状況監視処理Ｓ１９００を説明するフローチャートである。
【図２０】判定条件設定画面２０００の一例である。
【図２１】判定条件設定画面２０００の一例である。
【図２２】稼働状況２２００の一例である。
【図２３】稼働状況２２００の一例である。
【発明を実施するための形態】
【００２５】
図１に本発明の一実施形態として説明する機器制御システム１の概略的な構成を示している。同図に示すように、機器制御システム１は、ECHONET Lite（登録商標）規格に準拠した通信ネットワークであるＨＥＭＳネットワーク５（HEMS:Home Energy Management System）と、ＨＥＭＳネットワーク５に接続する、ＨＥＭＳサーバ６、ＨＥＭＳ端末７、及び複数のアダプタ１０と、ECHONET Lite（登録商標）規格に非対応の複数の電気機器（以下、非対応電気機器２と称する。）と、を含む。
【００２６】
ＨＥＭＳサーバ６は、通信ネットワーク５５を介して外部のサーバ装置８（情報処理装置）と通信可能に接続している。通信ネットワーク５５は、例えば、インターネットである。サーバ装置８は、例えば、クラウドコンピューティングによって実現されるクラウドサーバであり、仮想的な情報処理装置として機能する。
【００２７】
機器制御システム１は、ＨＥＭＳネットワーク５に接続する、ECHONET Lite（登録商標）規格に対応した１つ以上の電気機器（以下、対応電気機器４と称する。）を更に含んでいてもよい。機器制御システム１において、各アダプタ１０は対応電気機器４の一つとして機能する。
【００２８】
電気機器（非対応電気機器２，対応電気機器４）は、例えば、エアコン、ＡＶ機器（テレビ、ビデオデッキ、オーディオ機器、各種レコーダ等）、扇風機、加湿器、照明器具等である。ＨＥＭＳネットワーク５においては、例えば、下位層として、有線又は無線の伝送媒体（例えば、ＬＡＮ（Local Area Network、ＰＬＣ（Power Line Communication）、無線ＬＡＮ、Ｂｌｕｅｔｏｏｔｈ（登録商標）、９２０ＭＨｚ帯無線通信等）が、また中間層として、例えば、ＵＤＰ／ＩＰ等の通信規格が用いられる。
【００２９】
非対応電気機器２には、当該非対応電気機器２を遠隔制御するためのリモコン装置３が付帯している。リモコン装置３から送信されるリモコン信号の種類は問わないが（例えば、Ｂｌｕｅｔｏｏｔｈ（登録商標）や９２０ＭＨｚ帯無線通信等を利用したものでもよい）、本実施形態では赤外線信号（例えば、ＩｒＤＡ（Infrared Data Association）規格に準拠した赤外線信号）であるものとする。リモコン信号は、一連の符号（コード）を含んだ所定のデータフォーマットで構成されている。上記データフォーマットとして、例えば、ＮＥＣ（登録商標）フォーマット、家製協（登録商標）フォーマット、ＳＯＮＹ（登録商標）フォーマット等がある。
【００３０】
ＨＥＭＳサーバ６は、例えば、ＨＥＭＳネットワーク５が設けられている需要家における、電力使用に関する情報の蓄積や提供、対応電気機器４の状態監視（消費電力の監視）や制御、発電／売電状況の状態監視や制御、節電情報の提供、対応電気機器４や非対応電気機器２を利用するユーザの状況監視等の様々なサービスを行う。ＨＥＭＳサーバ６は、例えば、スマートメータとして機能するものであってもよい。ＨＥＭＳサーバ６は、ECHONET Lite （登録商標）に関する情報（例えば、後述するプロパティ情報６５１等）を記憶し、ＨＥＭＳネットワーク５を介してＨＥＭＳ端末７等に随時上記情報の提供を行う。
【００３１】
ＨＥＭＳ端末７は、ＨＥＭＳネットワーク５を介して対応電気機器４にECHONET Lite（登録商標）に準拠した電文（以下、「電文」という場合は、ECHONET Lite フレームを指すものとする。）を送信することにより、対応電気機器４を制御する。またＨＥＭＳ端末７は、ＨＥＭＳネットワーク５を介してアダプタ１０に電文を送信することにより、アダプタ１０を介して非対応電気機器２を制御することができる。
【００３２】
アダプタ１０は、ＨＥＭＳ端末７から送られてくるECHONET Lite（登録商標）の電文の内容に応じて、非対応電気機器２に付帯するリモコン装置３から送信されるリモコン信号のリモコンコードと同等のリモコンコードを含んだリモコン信号を送信する。アダプタ１０は、ECHONET Lite （登録商標）における制御コードであるプロパティコードとリモコンコードとを対応づけた後述の変換情報５０を記憶し、この変換情報５０を用いて、プロパティコードからリモコンコードへの変換、もしくはその逆の変換を行う。
【００３３】
図２に非対応電気機器２のハードウェア構成を示している。非対応電気機器２は、マイコン２１、入力装置２２、出力装置２３、制御機構２４、及びリモコン通信装置２５を備える。マイコン２１は、プロセッサ及び記憶素子を含む。入力装置２２は、ユーザが非対応電気機器２の設定や操作を行うためのユーザインタフェースであり、例えば、ボタン、スイッチ、タッチパネル、マイクロフォン、モーションセンサ等である。出力装置２３は、非対応電気機器２の動作状態等の各種の情報を出力するユーザインタフェースであり、例えば、ＬＣＤ（Liquid Crystal Display）、ＬＥＤ（Light Emitting Diode）、スピーカ等である。制御機構２４は、非対応電気機器２の機能を実現する電子素子や機械部品等で構成され、マイコン２１によって制御される。リモコン通信装置２５は、リモコン装置３やアダプタ１０から送られてくるリモコン信号を受信し、リモコン信号に含まれている情報をマイコン２１に伝える。リモコン通信装置２５は、マイコン２１から送られてくる情報をリモコン信号として送信する。
【００３４】
図３にリモコン装置３のハードウェア構成を示している。リモコン装置３は、マイコン３１、入力装置３２、出力装置３３、及びリモコン通信装置３４を備える。マイコン３１は、プロセッサ及び記憶素子を含む。入力装置３２は、ユーザが非対応電気機器２の設定や操作を行うためのユーザインタフェースであり、例えば、ボタンやスイッチ等である。出力装置２３は、非対応電気機器２の動作状態等を出力するユーザインタフェースであり、例えば、ＬＣＤ等である。リモコン通信装置３４は、マイコン３１から送られてくる情報をリモコン信号として送信する。リモコン通信装置３４は、非対応電気機器２から送られてくるリモコン信号を受信し、リモコン信号に含まれている情報をマイコン３１に伝える。
【００３５】
図４に対応電気機器４のハードウェア構成を示している。対応電気機器４は、マイコン４１、入力装置４２、出力装置４３、制御機構４４、及びＨＥＭＳ通信装置４５を備える。マイコン４１は、プロセッサ及び記憶素子を含む。入力装置４２は、ユーザが対応電気機器４の設定や操作を行うためのユーザインタフェースであり、例えば、ボタン、スイッチ、タッチパネル、マイクロフォン、モーションセンサ等である。出力装置４３は、対応電気機器４の動作状態等の情報を出力するユーザインタフェースであり、例えば、ＬＣＤ、ＬＥＤ、スピーカ等である。制御機構４４は、対応電気機器４の機能を実現する電子素子や機械部品等で構成され、マイコン４１によって制御される。ＨＥＭＳ通信装置４５は、ＨＥＭＳネットワーク５を介した通信を行う。
【００３６】
図５にＨＥＭＳサーバ６のハードウェア構成を示している。同図に示すように、ＨＥＭＳサーバ６は、プロセッサ６１、記憶装置６２、入力装置６３、出力装置６４、ＨＥＭＳ通信装置６５、クラウド通信装置６６、及び計時装置６８を備える。
【００３７】
プロセッサ６１は、例えば、ＣＰＵ（Central Processing Unit）やＭＰＵ（Micro Processing Unit）を用いて構成されている。記憶装置６２は、ＲＡＭ（Random Access Memory）、ＲＯＭ（Read Only Memory）、ＮＶＲＡＭ（Non Volatile RAM）、ハードディスクドライブ、ＳＳＤ（Solid State Drive）等であり、プログラムやデータを記憶する。入力装置６３は、情報の入力を行うユーザインタフェース（タッチパネル、キーパッド、キーボード、マウス、マイクロフォン等）である。出力装置６４は、情報をユーザに提供するユーザインタフェースであり、例えば、ＬＣＤやＬＥＤ等である。
【００３８】
ＨＥＭＳ通信装置６５は、例えば、ＮＩＣ（Network Interface Card）、無線通信モジュール、スイッチングハブ、ルータ等を用いて構成され、ＨＥＭＳネットワーク５を介して他の装置と通信を行う。
【００３９】
クラウド通信装置６６は、例えば、ＮＩＣ（Network Interface Card）、無線通信モジュール、スイッチングハブ、ルータ等を用いて構成され、通信ネットワーク５５を介してサーバ装置８と通信を行う。
【００４０】
計時装置６８は、ＲＴＣ（Real Time Clock）等を用いて構成され、現在日時等の日時情報を生成する。
【００４１】
図６にＨＥＭＳサーバ６の機能及びＨＥＭＳサーバ６が記憶するデータを示している。同図に示すように、ＨＥＭＳサーバ６は、各種機能部６１１、プロパティ情報提供部６１２、判定条件受信部６２１、判定条件記憶部６２２、リモコン信号送信履歴受信部６２３、稼働状況特定部６２４、ユーザ状況判定部６２５、及びユーザ状況情報送信部６２６の各機能を備える。これらの機能は、プロセッサ６１が、記憶装置６２に格納されているプログラムを読み出して実行することにより、もしくはＨＥＭＳサーバ６が備えるＡＳＩＣ（Application Specific Integrated Circuit）等のハードウェアにより実現される。
【００４２】
また同図に示すように、ＨＥＭＳサーバ６は、プロパティ情報６５１、判定条件６６１、リモコン信号送信履歴６６２、及び稼働状況６６３を記憶する。ＨＥＭＳサーバ６は、これらの情報を、例えば、ＤＢＭＳ（DataBase Management System）によって実現されるデータベースに管理する。
【００４３】
上記機能のうち、各種機能部６１１は、ＨＥＭＳサーバ６が備える様々な機能、例えば、需要家における電力使用に関する情報の蓄積や提供、対応電気機器４の状態監視や制御、発電／売電状況の状態監視や制御、節電情報の提供等の機能を提供する。
【００４４】
プロパティ情報提供部６１２は、ＨＥＭＳ端末７等のＨＥＭＳネットワーク５に接続する他の装置からの要求に応じて、もしくは自発的に、他の装置に対して随時プロパティ情報６５１を提供する。
【００４５】
プロパティ情報６５１は、ECHONET Lite （登録商標）規格における機器オブジェクト（ECHONET機器オブジェクト）ごとに規定された、上記機器オブジェクトの設定や制御を指示する際に用いるコードであるプロパティコードに関する情報を含む。ＨＥＭＳネットワーク５に接続する装置間でＨＥＭＳネットワーク５を介して送受信される電文には、例えば、ECHONET Lite プロパティ（ＥＰＣ）としてプロパティコードが設定される。
【００４６】
図７にプロパティ情報６５１の一例を示している。同図に示すように、プロパティ情報６５１は、プロパティ名称６５１１とプロパティコード６５１２の各項目を含む一つ以上のレコードで構成される。一つのレコードはECHONET Lite（登録商標）規格における一つのプロパティに対応している。プロパティ名称６５１１には、ECHONET Lite （登録商標）規格におけるプロパティ名称が設定される。プロパティコード６５１２には、ECHONET Lite（登録商標）規格におけるプロパティコードが設定される。
【００４７】
図６に戻り、判定条件受信部６２１は、非対応電気機器２の稼働状況に適用される、非対応電気機器２のユーザの状況を判定する条件である判定条件６６１をサーバ装置８から受信する。判定条件６６１は、例えば、非対応電気機器２ごとに設定される。判定条件６６１の詳細については後述する。上記ユーザは、例えば、高齢者や被介護者等、状況監視（在宅状況の確認や健康管理等）の対象となる者である。また以下の説明において、ユーザの状態を監視する者（例えば、高齢者の家族や介護福祉士等）のことを監視者と称する。
【００４８】
判定条件記憶部６２２は、判定条件受信部６２１が受信した判定条件を判定条件６６１として記憶する。
【００４９】
リモコン信号送信履歴受信部６２３は、複数のアダプタ１０の夫々から、夫々が非対応電気機器２に向けて送信したリモコン信号の時系列的な（リモコン信号を送信した日時を示す情報を付帯させた）送信履歴であるリモコン信号送信履歴を受信し、受信したリモコン信号送信履歴をリモコン信号送信履歴６６２として記憶する。
【００５０】
稼働状況特定部６２４は、リモコン信号送信履歴６６２に基づき、非対応電気機器２の夫々の稼働状況を特定し、特定した稼働状況を稼働状況６６３として記憶する。この特定方法の詳細については後述する。
【００５１】
ユーザ状況判定部６２５は、非対応電気機器２の稼働状況に判定条件を適用することにより得られる判定結果に基づき、非対応電気機器２を利用するユーザの状況を判定する。
【００５２】
ユーザ状況情報送信部６２６は、ユーザの状況を示す情報（以下、ユーザ状況情報とも称する。）をサーバ装置８に送信する。
【００５３】
図８にＨＥＭＳ端末７のハードウェア構成を示している。同図に示すように、ＨＥＭＳ端末７は、プロセッサ７１、記憶装置７２、入力装置７３、出力装置７４、及びＨＥＭＳ通信装置７５を備える。プロセッサ７１は、例えば、ＣＰＵやＭＰＵを用いて構成されている。記憶装置７２は、ＲＡＭ、ＲＯＭ、ＮＶＲＡＭ、ハードディスクドライブ、ＳＳＤ等であり、プログラムやデータを記憶する。入力装置７３は、情報の入力を行うユーザインタフェース（タッチパネル、キーパッド、キーボード、マウス、マクロフォン等）である。出力装置７４は、情報をユーザに提供するユーザインタフェースであり、例えば、ＬＣＤ、スピーカ等である。ＨＥＭＳ通信装置７５は、ＨＥＭＳネットワーク５を介した通信機能を提供する。
【００５４】
図９にＨＥＭＳ端末７の機能及びＨＥＭＳ端末７が記憶するデータを示している。同図に示すように、ＨＥＭＳ端末７は、各種機能部７１１、プロパティ情報取得部７１２、プロパティ情報記憶部７１３（制御コード記憶部）、リモコンコード受信部７１４、変換情報記憶部７１５、変換情報送信部７１６、及び非対応電気機器制御部７１７の各機能を備える。これらの機能は、プロセッサ７１が、記憶装置７２に格納されているプログラムを読み出して実行することにより、もしくはＨＥＭＳ端末７が備えるＡＳＩＣ等のハードウェアにより実現される。尚、ＨＥＭＳ端末７が、例えば、スマートフォンである場合、これらの機能は、例えば、ＨＥＭＳ端末７に専用のアプリケーションを導入（インストール）することにより実現することができる。同図に示すように、ＨＥＭＳ端末７は、プロパティ情報７５１及び変換情報７５２を記憶する。
【００５５】
上記機能のうち、各種機能部７１１は、ＨＥＭＳ端末７が備える様々な機能、例えば、対応電気機器４の設定や状態監視、制御等の機能を提供する。
【００５６】
プロパティ情報取得部７１２は、ＨＥＭＳネットワーク５を介して、ＨＥＭＳサーバ６からプロパティ情報を取得する。プロパティ情報記憶部７１３は、プロパティ情報取得部７１２が取得したプロパティ情報をプロパティ情報７５１として記憶する。
【００５７】
リモコンコード受信部７１４は、ＨＥＭＳネットワーク５を介してアダプタ１０からリモコンコードを受信する。
【００５８】
変換情報記憶部７１５は、プロパティ情報７５１に含まれるプロパティコードとリモコンコードとの対応を示す情報である変換情報７５２を記憶する。変換情報送信部７１６は、変換情報７５２を随時アダプタ１０に送信する。
【００５９】
非対応電気機器制御部７１７は、ユーザから受け付けた操作入力に応じて、非対応電気機器２を制御するための電文を生成し、生成した電文をアダプタ１０に送信する。
【００６０】
図１０に変換情報７５２の一例を示す。同図に示すように、変換情報７５２は、プロパティ名称７５２１、プロパティコード７５２２、及びリモコンコード７５２３の各情報を対応づけた１つ以上のレコードで構成される。このうちプロパティ名称７５２１には、ECHONET Lite （登録商標）における、非対応電気機器２に対応する機器オブジェクトのプロパティ情報のプロパティ名称が設定される。プロパティコード７５２２には、非対応電気機器２に対応する機器オブジェクトのプロパティ情報のプロパティコードが設定される。リモコンコード７５２３には、プロパティコード７５２２に対応するリモコンコードが設定される。
【００６１】
図１１にアダプタ１０のハードウェア構成を示している。同図に示すように、アダプタ１０は、マイコン１１、ＨＥＭＳ通信装置１２、及びリモコン通信装置１３を備える。マイコン１１は、プロセッサ、記憶素子、現在日時等の日時情報を生成する計時素子（ＲＴＣ（Real Time Clock）等）等を含む。ＨＥＭＳ通信装置１２は、ＨＥＭＳネットワーク５を介した通信を行う。リモコン通信装置２５は、非対応電気機器２やリモコン装置３との間でリモコン信号の送信や受信を行う。
【００６２】
図１２にアダプタ１０の機能及びアダプタ１０が記憶するデータを示している。同図に示すように、アダプタ１０は、変換情報設定部１１１、リモコン信号送信部１１２、通知処理部１１３、リモコン信号送信履歴取得部１２１、及びリモコン信号送信履歴送信部１２２の各機能を備える。これらの機能は、マイコン１１がプログラムを実行することにより、もしくはアダプタ１０が備えるＡＳＩＣ等のハードウェアにより実現される。また同図に示すように、アダプタ１０は、変換情報５０を記憶する。
【００６３】
上記機能のうち、変換情報設定部１１１は、ＨＥＭＳ端末７から送られてくる変換情報７５２に基づき変換情報５０を生成して記憶する。変換情報設定部１１１は、リモコン信号受信部１１１１、リモコン信号解析部１１１２、リモコンコード送信部１１１３、変換情報受信部１１１４、及び変換情報記憶部１１１５の各機能を含む。
【００６４】
このうちリモコン信号受信部１１１１は、リモコン装置３から送られてくるリモコン信号を受信する。リモコン信号解析部１１１２は、リモコン信号受信部１１１１が受信したリモコン信号を解析して当該リモコン信号に含まれているリモコンコードを取得する。リモコンコード送信部１１１３は、リモコン信号解析部１１１２が取得したリモコンコードを、ＨＥＭＳネットワーク５を介してＨＥＭＳ端末７に送信する。変換情報受信部１１１４は、ＨＥＭＳ端末７から送られてくる変換情報７５２を受信する。変換情報記憶部１１１５は、変換情報受信部１１１４が受信した変換情報７５２に基づき変換情報５０を生成して記憶する。
【００６５】
図１３に変換情報５０の一例を示す。同図に示すように、変換情報５０は、プロパティ名称５１１、プロパティコード５１２、及びリモコンコード５１３の各情報を対応づけた１つ以上のレコードで構成される。このうちプロパティ名称５１１には、ECHONET Lite （登録商標）における、非対応電気機器２に対応する機器オブジェクトのプロパティ情報のプロパティ名称が設定される。プロパティコード５１２には、非対応電気機器２に対応する機器オブジェクトのプロパティ情報のプロパティコードが設定される。リモコンコード５１３には、プロパティコード５１２に対応するリモコンコードが設定される。
【００６６】
図１２に戻り、リモコン信号送信部１１２は、ＨＥＭＳ端末７から送られてくる電文に含まれているプロパティコードに対応するリモコンコードを変換情報５０から取得し、取得したリモコンコードを含むリモコン信号を送信する。リモコン信号送信部１１２は、電文受信部１１２１、コード変換部１１２２、及びリモコン信号送信部１１２３の各機能を含む。
【００６７】
このうち電文受信部１１２１は、ＨＥＭＳネットワーク５を介してＨＥＭＳ端末７から送られてくる電文を受信する。コード変換部１１２２は、電文受信部１１２１が受信した電文に含まれているプロパティコードに対応するリモコンコードを変換情報５０から取得する。リモコン信号送信部１１２３は、コード変換部１１２２が取得したリモコンコードを含むリモコン信号を送信する。
【００６８】
通知処理部１１３は、ＨＥＭＳ端末７からアダプタ１０に送信された電文に非対応電気機器２側の情報を要求するプロパティコードが設定されている場合（例えば、プロパティコードが、非対応電気機器２に対して何らかの設定を行うものであり、設定後における非対応電気機器２の状態の通知を要求するものである場合）、非対応電気機器２から上記情報を取得し、取得した情報を設定した電文をＨＥＭＳネットワーク５を介してＨＥＭＳ端末７に送信する。通知処理部１１３は、情報取得部１１３１及び電文送信部１１３２を含む。
【００６９】
このうち情報取得部１１３１は、リモコン信号受信部１１１１が非対応電気機器２側の情報を要求するプロパティコードが設定された電文を受信した場合に、非対応電気機器２から受信したリモコン信号に含まれている情報を取得する。電文送信部１１３２は、取得した上記情報と上記プロパティコードとを設定した電文をＨＥＭＳネットワーク５を介してＨＥＭＳ端末７に送信する。
【００７０】
リモコン信号送信履歴取得部１２１は、前述したリモコン信号送信履歴を取得し、取得したリモコン信号送信履歴をリモコン信号送信履歴１５１として記憶する。リモコン信号送信履歴は、リモコン通信装置１３から非対応電気機器２に対してリモコン信号が送信された日時を示す情報、リモコン信号の内容に関する情報（非対応電気機器２に対する指示内容（コマンド）や設定値等）等を含む。
【００７１】
リモコン信号送信履歴送信部１２２は、リモコン信号送信履歴１５１を、ＨＥＭＳネットワーク５を介してＨＥＭＳサーバ６に随時送信する。
【００７２】
図１４にサーバ装置８の機能及びサーバ装置８が記憶するデータを示している。同図に示すように、サーバ装置８は、判定条件受付部８１１、判定条件送信部８１２、ユーザ状況情報受信部８１３、及び情報配信部８１４の各機能を備える。これらの機能は、例えば、サーバ装置８がプログラムを実行することにより実現される。また同図に示すように、サーバ装置８は、判定条件８１５及びユーザ状況情報８１６を記憶する。
【００７３】
判定条件受付部８１１は、ＨＥＭＳサーバ６ごとに判定条件の設定を受け付ける。判定条件受付部８１１は、例えば、サーバ装置８の管理者等から判定条件の設定を受け付ける。また判定条件受付部８１１は、例えば、通信ネットワーク５５で提供しているＷｅｂページ等を介して、監視者等から判定条件の設定を受け付ける。判定条件受付部８１１は、受け付けた判定条件を判定条件８１５として記憶する。
【００７４】
判定条件送信部８１２は、判定条件８１５をＨＥＭＳサーバ６に随時送信する。
【００７５】
ユーザ状況情報受信部８１３は、ＨＥＭＳサーバ６から送られてくるユーザ状況情報を受信し、受信した情報をユーザ状況情報８１６として記憶する。
【００７６】
情報配信部８１４は、ユーザ状況情報８１６を管理者や管理者等に提供する。また情報配信部８１４は、例えば、通信ネットワーク５５を介して、Ｗｅｂページや電子メール等によりユーザ状況情報８１６を管理者や管理者等に提供する。
【００７７】
＜変換情報設定処理＞
【００７８】
図１５は、機器制御システム１において行われる、変換情報５０の設定に関する処理（以下、変換情報設定処理Ｓ１５００と称する。）を説明するフローチャートである。以下、同図とともに変換情報設定処理Ｓ１５００について説明する。
【００７９】
まずＨＥＭＳ端末７は、ＨＥＭＳネットワーク５を介してアダプタ１０と通信を開始する（Ｓ１５１１，Ｓ１５５１）。ＨＥＭＳ端末７が、例えば、ＨＥＭＳネットワーク５にブロードキャストを送信してアダプタ１０の応答を待機し（アダプタ１０のサーチ）、応答のあったアダプタ１０との間で通信を開始するようにしてもよい。
【００８０】
続いて、ＨＥＭＳ端末７は、例えば、入力装置７３を介して、設定対象となる非対応電気機器２のECHONET（登録商標）機器オブジェクト（以下、機器オブジェクトと記載する。）の指定をユーザから受け付ける（Ｓ１５１２）。
【００８１】
図１６Ａに上記受け付けに際しＨＥＭＳ端末７が表示する画面（以下、機器オブジェクト指定画面１６０１と称する。）の一例を示す。
【００８２】
図１５に戻り、機器オブジェクトの指定（例えば、機器オブジェクトの名称や識別子）を受け付けると、ＨＥＭＳ端末７は、ＨＥＭＳネットワーク５を介して、受け付けた機器オブジェクトを指定して当該機器オブジェクトのプロパティ情報をＨＥＭＳサーバ６に要求する（Ｓ１５１３）。
【００８３】
ＨＥＭＳサーバ６は、上記要求を受信すると（Ｓ１５７１）、上記要求に指定されている機器オブジェクトのプロパティ情報をＨＥＭＳネットワーク５を介してＨＥＭＳ端末７に送信する（Ｓ１５７２）。
【００８４】
ＨＥＭＳ端末７は、ＨＥＭＳサーバ６からプロパティ情報を受信すると（Ｓ１５１４）、受信したプロパティ情報に含まれているプロパティ名称及びプロパティコードを記載した変換情報５０の設定画面を表示し（Ｓ１５１５）、これから設定しようとするプロパティの指定をユーザから受け付ける（Ｓ１５１６）。
【００８５】
図１６Ｂに上記設定画面（以下、プロパティ指定画面１６０２と称する。）の一例を示す。プロパティ指定画面１６０２において、ユーザはチェックボックス１６５１の一つを選択することにより、これから設定しようとするプロパティを指定することができる。
【００８６】
図１５に戻り、ＨＥＭＳ端末７は、プロパティの指定を受け付けると、ＨＥＭＳネットワーク５を介してアダプタ１０にリモコン信号の受信指示を送信する（Ｓ１５１７）。
【００８７】
アダプタ１０は、上記受信指示を受信すると（Ｓ１５５２）、リモコン装置３から送られてくるリモコン信号の受信を待機する。ユーザは、リモコン装置３のリモコン信号の送信部をアダプタ１０の方向に向けてリモコン装置３にＳ１５１５で指定したプロパティに対応する操作を行う。これにより上記操作に対応するリモコンコードを含むリモコン信号がアダプタ１０に向けて送信される。
【００８８】
アダプタ１０は、上記リモコン信号を受信すると（Ｓ１５５３）、受信したリモコン信号を解析してリモコン信号に含まれているリモコンコードを取得し（Ｓ１５５４）、取得したリモコンコードをＨＥＭＳ端末７に送信する（Ｓ１５５５）。
【００８９】
ＨＥＭＳ端末７は、リモコンコードを受信すると（Ｓ１５１８）、受信したリモコンコードとＳ１５１５で指定したプロパティとを対応づけた情報を、変換情報７５２として記憶する（Ｓ１５１９）。
【００９０】
図１６ＣにこのときにＨＥＭＳ端末７が表示する画面（以下、変換情報確認画面１６０３と称する。）の一例を示す。
【００９１】
図１５に戻り、続いて、ＨＥＭＳ端末７は、入力装置７３に対して所定の終了操作（例えば、図１６Ｃにおいて確定ボタン１５６１を選択する操作）が行われたか否かを判定する（Ｓ１５２０）。所定の終了操作が行われたと判定すると（Ｓ１５２０：ＹＥＳ）、ＨＥＭＳ端末７は、記憶している変換情報７５２をＨＥＭＳネットワーク５を介してアダプタ１０に送信する（Ｓ１５２１）。尚、Ｓ１５１３で受信したプロパティ情報の全てのプロパティについて設定が完了したことをもってＳ１５２１の処理に移行するとしてもよい。ＨＥＭＳ端末７が所定の終了操作が行われていないと判定すると（Ｓ１５２０：ＮＯ）、処理はＳ１５１６に戻り、未設定のプロパティについて以上と同様の処理が行われる。
【００９２】
アダプタ１０は、ＨＥＭＳ端末７から変換情報７５２を受信すると（Ｓ１５５６）、受信した変換情報７５２を変換情報５０として記憶する（Ｓ１５５７）。
【００９３】
図１７は、ユーザがＨＥＭＳ端末７を操作して非対応電気機器２を制御する際に機器制御システム１において行われる処理（以下、機器制御処理Ｓ１７００と称する。）を説明するフローチャートである。以下、同図とともに機器制御処理Ｓ１７００について説明する。
【００９４】
まずＨＥＭＳ端末７は、非対応電気機器２を制御する画面（例えば、リモコン装置３と同等のボタンが設けられた画面）を表示し（Ｓ１７１１）、ユーザから非対応電気機器２の制御指示の入力を受け付ける（Ｓ１７１２）。
【００９５】
続いて、ＨＥＭＳ端末７は、受け付けた上記制御指示に応じたプロパティコードを設定した電文を、ＨＥＭＳネットワーク５を介してアダプタ１０に送信する（Ｓ１７１３）。
【００９６】
アダプタ１０は、上記電文を受信すると（Ｓ１７５１）、上記電文に設定されているプロパティコードを変換情報５０と対照して上記プロパティコードに対応するリモコンコードを取得し（Ｓ１７５２）、取得したリモコンコードを含むリモコン信号を送信する（Ｓ１７５３）。
【００９７】
非対応電気機器２は、上記リモコン信号を受信すると（Ｓ１７７１）、受信したリモコン信号に応じた処理（設定、制御等）を実行する（Ｓ１７７２）。
【００９８】
図１８は、ＨＥＭＳ端末７からアダプタ１０に送信された電文に非対応電気機器２側の情報を要求するプロパティコードが設定されている場合に機器制御システム１において行われる処理（以下、情報通知処理Ｓ１８００と称する。）を説明するフローチャートである。以下、同図とともに情報通知処理Ｓ１８００について説明する。
【００９９】
まず非対応電気機器２が、情報を含むリモコン信号を送信し（Ｓ１８７１）、アダプタ１０がこれを受信する（Ｓ１８５１）。
【０１００】
続いて、アダプタ１０は、リモコン信号から上記情報を取得し（Ｓ１８５２）、取得した情報とＳ１７５１で取得した電文に含まれていたプロパティコードとを設定した電文をＨＥＭＳネットワーク５を介してＨＥＭＳ端末７に送信する（Ｓ１８５３）。
【０１０１】
ＨＥＭＳ端末７は、電文を受信すると（Ｓ１８１１）、受信した電文から上記情報を取得する（Ｓ１８１２）。ＨＥＭＳ端末７は、例えば、取得した情報を出力装置７４に出力する。
【０１０２】
以上に説明したように、本実施形態の機器制御システム１は、非対応電気機器２を制御するリモコン装置３から送信されるリモコン信号と、ECHONET Lite（登録商標）規格における非対応電気機器２に対応する機器オブジェクトのプロパティコードとの対応を示す情報である変換情報５０を生成し、変換情報５０をアダプタ１０に記憶させる。そしてＨＥＭＳ端末７から上記ＨＥＭＳネットワーク５を介してアダプタ１０にプロパティコードが送信されると、アダプタ１０は変換情報５０に基づきプロパティコードをリモコンコードに変換し、変換したリモコンコードをリモコン信号に含ませて送信する。このように本実施形態の機器制御システム１によれば、非対応電気機器２を上記規格に準拠したＨＥＭＳネットワーク５から制御する仕組みを実現することができる。このため、例えば、住宅等における既設の非対応電気機器２を容易にＨＥＭＳネットワーク５から制御できるようにすることができる。
【０１０３】
また機器制御システム１によれば、変換情報５０を利用して、非対応電気機器２から送信されたリモコン信号に含まれている情報をＨＥＭＳ端末７に伝える仕組みを実現することができる。
【０１０４】
以上に説明したように、機器制御システム１は、非対応電気機器２を制御するリモコン装置３から送信されるリモコン信号と、ECHONET Lite（登録商標）規格における非対応電気機器２に対応する機器オブジェクトのプロパティコードとの対応を示す情報である変換情報５０を生成し、変換情報５０をアダプタ１０に記憶させる。そしてＨＥＭＳ端末７から上記ＨＥＭＳネットワーク５を介してアダプタ１０にプロパティコードが送信されると、アダプタ１０は変換情報５０に基づきプロパティコードをリモコンコードに変換し、変換したリモコンコードをリモコン信号に含ませて送信する。このように本実施形態の機器制御システム１によれば、非対応電気機器２を上記規格に準拠したＨＥＭＳネットワーク５から制御する仕組みを実現することができる。このため、例えば、住宅等における既設の非対応電気機器２を容易にＨＥＭＳネットワーク５から制御できるようにすることができる。
【０１０５】
また機器制御システム１によれば、変換情報５０を利用して、非対応電気機器２から送信されたリモコン信号に含まれている情報をＨＥＭＳ端末７に伝える仕組みを実現することができる。
【０１０６】
＜ユーザ状況監視処理＞
続いて、図１９に示すフローチャートとともに、非対応電気機器２のユーザの状況（ユーザの在宅状況、異常の有無等）を監視する処理（以下、ユーザ状況監視処理Ｓ１９００と称する。）について説明する。
【０１０７】
サーバ装置８は、管理者や監視者等から判定条件の設定を受け付け、受け付けた判定条件を判定条件８１５として記憶する（Ｓ１９１１）。サーバ装置８は、判定条件８１５をＨＥＭＳサーバ６に随時送信する（Ｓ１９１２）。
【０１０８】
ＨＥＭＳサーバ６は、判定条件を受信すると（Ｓ１９２１：ＹＥＳ）、これを判定条件６６１として記憶する（Ｓ１９２２）。
【０１０９】
図２０は、管理者や監視者等から判定条件の設定を受け付ける際、サーバ装置８がユーザインタフェースとして表示（例えば、Ｗｅｂページとして表示）する画面の一例（以下、判定条件設定画面２０００と称する。）である。
【０１１０】
同図に示すように、判定条件設定画面２０００には、判定条件の設定に際して必要となる各種の設定欄が設けられている。
【０１１１】
このうちタイトルの設定欄２０１１には、設定しようとする判定条件に付与するタイトル（名称）が設定される。本例はユーザの在宅状況の判定に用いる判定条件の設定例であるので、タイトルの設定欄２０１１には「在宅状況確認用」というタイトルが設定されている。
【０１１２】
タイトルの設定欄２０１１の下段に設けられた設定欄（以下、要素条件設定欄２０１２と称する。）には、設定しようとする判定条件の要素となる条件（以下、要素条件と称する。）を設定する。要素条件設定欄２０１２の各要素条件は、番号２１１１、対象機器２１１２、選択有無２１１３、判定閾値２１１４、稼働状態（真値）２１１５の各項目を有する。
【０１１３】
このうち番号２１１１には、各要素条件を識別するための番号が採番される。対象機器２１１２には、非対応電気機器２の一つを特定する情報が設定される。本例では「エアコン１」、「テレビ」、「照明」、及び「トイレ」（「トイレ」はトイレに設置されている照明、洗浄装置、便座暖房装置等の非対応電気機器２を意味する。）等が設定されている。選択有無２１１３には、当該行を判定条件の要素条件として選択するか否かを示す情報（ここではチェック記号の有無）が設定される。本例では、「エアコン１」、「テレビ」、「照明」、「トイレ」の４つが選択されている。
【０１１４】
判定閾値２１１４には、判定に際して用いる閾値が設定される。本例では「エアコン１」、「テレビ」、「照明」、「トイレ」のいずれについても「５分以上」が設定されている。稼働状態（真値）２１１５には、判定に際して真値とする値が設定される。本例では、「エアコン１」、「テレビ」、「照明」、「トイレ」のいずれも「電源オフ」が設定されている。
【０１１５】
判定条件設定画面２０００の下部に設けられている判定条件２０１３には、判定条件が設定される。本例では論理式の形式で判定条件が設定されている。同図に示す判定条件「１  ａｎｄ  ２  ａｎｄ  ３  ａｎｄ  ４」は、「番号２１１１が「１」〜「４」の非対応電気機器２について要素条件設定欄２０１２に設定された要素条件が総て真値になったとき」という内容（「エアコン１」、「テレビ」、「照明」、及び「トイレ」のいずれもが５分以上、電源オフ（使われていない）とき、という内容）に相当する。
【０１１６】
メッセージの設定欄２０１４には、判定条件２０１３が成立したときにサーバ装置８が出力するメッセージが設定される。本例では「現在、不在の可能性があります。」という内容が設定されている。クラウドへの通知タイミングの設定欄２０１５には、ＨＥＭＳサーバ６がサーバ装置８に判定結果（ユーザ状況情報）を送信するタイミングが設定される。本例では「ユーザの状況が変化した時」という内容が設定されている。
【０１１７】
図２１に、判定条件設定画面２０００の他の例を示す。
【０１１８】
本例は、ユーザの状況に異常が生じているか否かの判定に用いる判定条件の設定例であるので、タイトルの設定欄２０１１には「異常検知用」というタイトルが設定されている。本例では、対象機器２１１２に「エアコン１」、「テレビ」、「照明」、「トイレ」等が設定され、選択有無２１１３では「エアコン１」、「テレビ」、「照明」、「トイレ」の４つが選択されている。尚、本例では「エアコン１」、「テレビ」、及び「照明」については判定閾値２１１４は設定されていないが、「トイレ」については判定閾値２１１４に「１８０分以上」が設定されている。稼働状態（真値）２１１５には、「エアコン１」、「テレビ」、及び「照明」については「電源オン」が、「トイレ」については「電源オフ」が、夫々設定されている。
【０１１９】
判定条件２０１３には、「（  １  ｏｒ  ２  ｏｒ  ３  ）  ａｎｄ  ４」が設定されている。この判定条件は「番号２１１１が「１」〜「３」のうちの少なくともいずれかの要素条件が真値となり、かつ、番号４の要素条件が真値となったとき」という内容（「エアコン１」、「テレビ」、「照明」が電源オンになったままで、１８０分以上、トイレが使われていないときという内容（非対応電機機器２全体の稼働状況に通常のユーザの状況とは異なる矛盾が生じている状態）」に相当する。メッセージの設定欄２０１４には「異常を検知しました。」という内容が設定されている。クラウドへの通知タイミングの設定欄２０１５には「判定条件が成立した時」という内容が設定されている。
【０１２０】
図１９に戻り、続いて、ＨＥＭＳサーバ６は、アダプタ１０からリモコン信号送信履歴を取得し（Ｓ１９２３，Ｓ１９４１）、取得したリモコン信号送信履歴６６２に基づき、非対応電気機器２の稼働状況を特定し、特定した稼働状況を稼働状況６６３として記憶する（Ｓ１９２５）。
【０１２１】
続いて、ＨＥＭＳサーバ６は、特定した稼働状況６６３と判定条件６６１とに基づき、ユーザの状況を判定する。
【０１２２】
例えば、判定条件６６１が図２０に示した内容であり、かつ、稼働状況６６３が図２２に示す内容（稼働状況２２００）である場合、０６：００前頃から１５：００までは判定条件２０１３による判定結果は「偽」となり、ＨＥＭＳサーバ６は、ユーザは在宅中であると判定する。また１５：００から１８：００過頃までは判定条件２０１３による判定結果は「真」となり、ＨＥＭＳサーバ６は、ユーザは不在であると判定する。また１８：００過ぎ頃から２４：００前頃までは判定条件２０１３による判定結果は「偽」となり、ＨＥＭＳサーバ６は、ユーザは在宅中であると判定する。
【０１２３】
また例えば、判定条件６６１が図２１に示した内容であり、かつ、稼働状況６６３が図２３に示す内容（稼働状況２２００）である場合、１２：００頃から判定条件２０１３による判定結果は「真」となり、ＨＥＭＳサーバ６は、異常を検知した（ユーザに何らかの異常が生じている）と判定する。
【０１２４】
図１９に戻り、Ｓ１９２７では、ＨＥＭＳサーバ６は、Ｓ１９２６の判定結果、即ちユーザ状況情報を、サーバ装置８に通知する必要があるか否か判定する。具体的には、ＨＥＭＳサーバ６は、図２０又は図２１におけるクラウドへの通知タイミングの設定欄２０１５に設定された内容に基づき上記判定を行う。通知要と判定した場合（Ｓ１９２７：ＹＥＳ）、ＨＥＭＳサーバ６はユーザ状況情報をサーバ装置８に送信する。一方、通知不要と判定した場合（Ｓ１９２７：ＮＯ）、ＨＥＭＳサーバ６の処理はＳ１９２１に戻る。
【０１２５】
サーバ装置８は、ユーザ状況情報を受信すると、これをユーザ状況情報８１６として記憶する（Ｓ１９１３）。そしてサーバ装置８は、ユーザ状況情報８１６を管理者や監視者等に随時提供する（Ｓ１９１４）。例えば、サーバ装置８は、ユーザ状況情報８１６を、Ｗｅｂページや電子メールにより管理者や監視者等が操作する端末装置（例えば、スマートフォン、パーソナルコンピュータ等）に提供する。その後、サーバ装置８の処理はＳ１９１１に戻る。
【０１２６】
以上に説明したように、本実施形態の機器制御システム１によれば、ＨＥＭＳネットワーク５にアダプタ１０を導入することで容易に非対応電気機器２をＨＥＭＳネットワーク５を介して制御可能にすることができる。またＨＥＭＳサーバ６は、アダプタ１０から送られてくるリモコン信号送信履歴６６２（アダプタ１０が非対応電気機器２を制御することにより自動的にアダプタ１０に蓄積される情報）を利用して非対応電気機器２の稼働状況６６３を特定し、これを利用してユーザの状況を判定するので、ＨＥＭＳネットワーク５にアダプタ１０を導入するだけで、高齢者や被介護者等の見守りの仕組みについても容易かつ安価に実現することができる。また宅内カメラやセンサ等を導入する必要がなく、監視される側の心理的な抵抗も少なく、家庭等への導入をスムースに行うことができる。
【０１２７】
ところで、以上の説明は、本発明の理解を容易にするためのものであり、本発明を限定するものではない。本発明はその趣旨を逸脱することなく、変更、改良され得ると共に本発明にはその等価物が含まれることは勿論である。
【０１２８】
例えば、サーバ装置８にＨＥＭＳサーバ６から稼働状況６６３を転送し、サーバ装置８が、非対応電気機器２の稼働状況の履歴から把握されるユーザの生活習慣に基づき判定条件６６１を自動生成するようにしてもよい。具体的には、例えば、図２１における「トイレ」の判定閾値２１１４を過去の「トイレ」の稼働状況の履歴に基づき自動生成するようにしてもよい（例えば、判定閾値２１１４を過去のトイレの平均利用時間間隔以上の値とする等）。
【０１２９】
また上記の各構成、機能部、処理部、処理手段等は、それらの一部または全部を、例えば、集積回路で設計する等によりハードウェアで実現してもよい。上記の各構成、機能等は、プロセッサがそれぞれの機能を実現するプログラムを解釈し、実行することによりソフトウェアで実現してもよい。各機能を実現するプログラム、テーブル、ファイル等の情報は、メモリやハードディスク、ＳＳＤ（Solid State Drive）等の記録装置、またはＩＣカード、ＳＤカード、ＤＶＤ等の記録媒体に置くことができる。
【０１３０】
例えば、以上の実施形態では、リモコン装置３から送信されるリモコン信号が赤外線信号である場合を例として説明したが、リモコン信号は２．４ＧＨｚ帯の無線信号や９２０ＭＨｚ帯の無線信号等、他の種類の無線信号であってもよい。またＨＥＭＳネットワーク５は、ECHONET Lite（登録商標）規格以外の規格に準拠するものであってもよい。
【０１３１】
また以上に説明した機器制御システム１における各種機能部の配置形態は一例に過ぎない。各種機能部の配置形態は、機器制御システム１が備えるハードウェアやソフトウェアの性能、処理効率、通信効率等の観点から最適な配置形態に変更し得る。
【０１３２】
例えば、ＨＥＭＳサーバ６の機能の一部又は全部をサーバ装置８に設けてもよい。またサーバ装置８の機能の一部又は全部をＨＥＭＳサーバ６に設けてもよい。例えば、判定条件の設定をＨＥＭＳサーバ６が受け付けるようにしてもよい。
【０１３３】
またＨＥＭＳサーバ６、ＨＥＭＳ端末７、及びアダプタ１０は、必ずしも独立したハードウェアでなくてもよい。例えば、ＨＥＭＳ端末７やアダプタ１０の機能の一部又は全部をＨＥＭＳサーバ６に設けてもよい。また例えば、ＨＥＭＳ端末７が備える機能の一部又は全部をアダプタ１０に設けてもよい。
【０１３４】
プロパティ情報は、必ずしもＨＥＭＳサーバ６から提供される構成でなくてもよく、例えば、ＨＥＭＳ端末７やアダプタ１０に予め記憶しておくようにしてもよい。
【０１３５】
変換情報５０はアダプタ１０からアクセスできる状態になっていればよく、変換情報５０はアダプタ１０以外の場所に存在していてもよい。
【符号の説明】
【０１３６】
１  機器制御システム、２  非対応電気機器、３  リモコン装置、４  対応電気機器、５  ＨＥＭＳネットワーク、１０  アダプタ、１１１  変換情報設定部、１１２  リモコン信号送信部、１１３  通知処理部、１２１  リモコン信号送信履歴取得部、１２２  リモコン信号送信履歴送信部、５０  変換情報、１５１  リモコン信号送信履歴、５５  通信ネットワーク、６  ＨＥＭＳサーバ、６５  ＨＥＭＳ通信装置、６６  クラウド通信装置、６８  計時装置、６１１  各種機能部、６１２  プロパティ情報提供部、６２１  判定条件受信部、６２２  判定条件記憶部、６２３  リモコン信号送信履歴受信部、６２４  稼働状況特定部、６２５  ユーザ状況判定部、６２６  ユーザ状況情報送信部、６５１  プロパティ情報、６６１  判定条件、６６２  リモコン信号送信履歴、６６３  稼働状況、８  サーバ装置、８１１  判定条件受付部、８１２  判定条件送信部、８１３  ユーザ状況情報受信部、８１４  情報提供部、８１５  判定条件、８１６  ユーザ状況情報、Ｓ１５００  変換情報設定処理、Ｓ１７００  機器制御処理、Ｓ１８００  情報通知処理、Ｓ１９００  ユーザ状況監視処理、２０００  判定条件設定画面、２２００  稼働状況
【図１】
2018003010.tif 000003
【図２】
2018003010.tif 000004
【図３】
2018003010.tif 000005
【図４】
2018003010.tif 000006
【図５】
2018003010.tif 000007
【図６】
2018003010.tif 000008
【図７】
2018003010.tif 000009
【図８】
2018003010.tif 000010
【図９】
2018003010.tif 000011
【図１０】
2018003010.tif 000012
【図１１】
2018003010.tif 000013
【図１２】
2018003010.tif 000014
【図１３】
2018003010.tif 000015
【図１４】
2018003010.tif 000016
【図１５】
2018003010.tif 000017
【図１６Ａ】
2018003010.tif 000018
【図１６Ｂ】
2018003010.tif 000019
【図１６Ｃ】
2018003010.tif 000020
【図１７】
2018003010.tif 000021
【図１８】
2018003010.tif 000022
【図１９】
2018003010.tif 000023
【図２０】
2018003010.tif 000024
【図２１】
2018003010.tif 000025
【図２２】
2018003010.tif 000026
【図２３】
2018003010.tif 000027
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
所定の通信規格に準拠した通信ネットワークに接続し、前記通信ネットワークを介して送られてくる電文を受信し、前記電文の内容に応じて、前記通信規格に非対応の電気機器である非対応電気機器を制御するアダプタと、
前記アダプタと通信可能に接続する情報処理装置と、
を含む機器制御システムの制御方法であって、
前記アダプタが、
前記通信規格における前記非対応電気機器に対応する制御コードと前記非対応電気機器のリモコンコードとの対応を示す情報である変換情報を記憶するステップ、
前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信するステップ、
前記非対応電気機器に対する前記リモコン信号の時系列的な送信履歴であるリモコン信号送信履歴を前記情報処理装置に送信するステップ、
を実行し、
前記情報処理装置が、
前記アダプタから前記非対応電気機器に対する前記リモコン信号送信履歴を受信するステップ、
前記リモコン信号送信履歴に基づき前記非対応電気機器の稼働状況を特定するステップ、
前記非対応電気機器の前記稼働状況に適用される、前記非対応電気機器を利用するユーザの状況を判定する条件である判定条件を記憶するステップ、
前記非対応電気機器の前記稼働状況に前記判定条件を適用することにより得られる判定結果に基づき、前記ユーザの状況を判定するステップ、
を実行する、
機器制御システムの制御方法。
【請求項２】
請求項１に記載の機器制御システムの制御方法であって、
前記機器制御システムは複数の前記非対応電気機器を含み、
前記判定条件は、複数の前記非対応電気機器の夫々について個別に設定された判定条件である要素条件を含み、
前記情報処理装置は、複数の前記非対応電気機器の夫々について設定された前記要素条件を夫々の前記稼働状況に適用することにより得られる複数の判定結果に基づき、前記ユーザの状況を判定する、
機器制御システムの制御方法。
【請求項３】
請求項１又は２に記載の機器制御システムの制御方法であって、
前記稼働状況は前記非対応電気機器の電源のオンオフ状態を示す情報を含み、
前記判定条件は、前記非対応電気機器の電源がオン又はオフのいずれの状態になっているかを判定する条件を含む、
機器制御システムの制御方法。
【請求項４】
請求項２に記載の機器制御システムの制御方法であって、
前記稼働状況は前記非対応電気機器の電源のオンオフ状態を示す情報を含み、
前記判定条件は、少なくとも一つ以上の前記非対応電気機器がオンになっている場合に真となり、
前記情報処理装置は、前記判定条件が真である場合に前記ユーザが在宅中であると判定する、
機器制御システムの制御方法。
【請求項５】
請求項２に記載の機器制御システムの制御方法であって、
前記稼働状況は前記非対応電気機器の電源のオンオフ状態を示す情報を含み、
第１の前記要素条件として、第１の前記非対応電気機器の電源がオンになっている場合に判定結果が真になるという条件が設定され、
第２の前記要素条件として、前記第２の非対応電気機器の電源が所定時間以上オフになっている場合に判定結果が真になるという条件が設定され、
前記情報処理装置は、前記第１の要素条件の判定結果と前記第２の要素条件の判定結果のいずれもが真である場合に前記ユーザに異常が生じていると判定する、
機器制御システムの制御方法。
【請求項６】
請求項１又は２に記載の機器制御システムの制御方法であって、
前記通信規格は、ECHONET Lite（登録商標）規格であり、前記制御コードは、ECHONET Lite（登録商標）規格におけるプロパティコードである、
機器制御システムの制御方法。
【請求項７】
請求項１又は２に記載の機器制御システムの制御方法であって、
前記情報処理装置は、インターネットを介してクラウドサーバと通信する装置であるクラウド通信装置を備え、
前記情報処理装置は、前記ユーザの状況を判定した結果を前記クラウドサーバに送信するステップを実行する、
機器制御システムの制御方法。
【請求項８】
所定の通信規格に準拠した通信ネットワークに接続し、前記通信ネットワークを介して送られてくる電文を受信し、前記電文の内容に応じて、前記通信規格に非対応の電気機器である非対応電気機器を制御する複数のアダプタと、
前記複数のアダプタの夫々と通信する情報処理装置と、
を含んで構成される、機器制御システムであって、
前記アダプタは、
前記通信規格における前記非対応電気機器に対応する制御コードと前記非対応電気機器のリモコンコードとの対応を示す情報である変換情報を記憶する変換情報記憶部と、
前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信する、リモコン信号送信部と、
前記非対応電気機器に対する前記リモコン信号の時系列的な送信履歴であるリモコン信号送信履歴を前記情報処理装置に送信するリモコン信号送信履歴送信部と、
を備え、
前記情報処理装置は、
前記アダプタから前記非対応電気機器に対する前記リモコン信号送信履歴を受信するリモコン信号送信履歴受信部と、
前記リモコン信号送信履歴に基づき前記非対応電気機器の稼働状況を特定する稼働状況特定部と、
前記非対応電気機器の前記稼働状況に適用される、前記非対応電気機器を利用するユーザの状況を判定する条件である判定条件を記憶する判定条件記憶部と、
前記非対応電気機器の前記稼働状況に前記判定条件を適用することにより得られる判定結果に基づき、前記ユーザの状況を判定するユーザ状況判定部と、
を備える、機器制御システム。
【請求項９】
請求項８に記載の機器制御システムであって、
前記機器制御システムは複数の前記非対応電気機器を含み、
前記判定条件は、複数の前記非対応電気機器の夫々について個別に設定された判定条件である要素条件を含み、
前記ユーザ状況判定部は、複数の前記非対応電気機器の夫々について設定された前記要素条件を夫々の前記稼働状況に適用することにより得られる複数の判定結果に基づき、前記ユーザの状況を判定する、
機器制御システム。
【請求項１０】
請求項８又は９に記載の機器制御システムであって、
前記稼働状況は前記非対応電気機器の電源のオンオフ状態を示す情報を含み、
前記判定条件は、前記非対応電気機器の電源がオン又はオフのいずれの状態になっているかを判定する条件を含む、
機器制御システム。
【請求項１１】
請求項９に記載の機器制御システムであって、
前記稼働状況は前記非対応電気機器の電源のオンオフ状態を示す情報を含み、
前記判定条件は、少なくとも一つ以上の前記非対応電気機器がオンになっている場合に真となり、
前記ユーザ状況判定部は、前記判定条件が真である場合に前記ユーザが在宅中であると判定する、
機器制御システム。
【請求項１２】
請求項９に記載の機器制御システムであって、
前記稼働状況は前記非対応電気機器の電源のオンオフ状態を示す情報を含み、
第１の前記要素条件として、第１の前記非対応電気機器の電源がオンになっている場合に判定結果が真になるという条件が設定され、
第２の前記要素条件として、前記第２の非対応電気機器の電源が所定時間以上オフになっている場合に判定結果が真になるという条件が設定され、
前記ユーザ状況判定部は、前記第１の要素条件の判定結果と前記第２の要素条件の判定結果のいずれもが真である場合に前記ユーザに異常が生じていると判定する、
機器制御システム。
【請求項１３】
請求項８又は９に記載の機器制御システムであって、
前記通信規格は、ECHONET Lite（登録商標）規格であり、前記制御コードは、ECHONET Lite（登録商標）規格におけるプロパティコードである、
機器制御システム。
【請求項１４】
請求項８又は９に記載の機器制御システムであって、
前記情報処理装置は、インターネットを介してクラウドサーバと通信する装置であるクラウド通信装置を備え、
前記情報処理装置は、前記ユーザの状況を判定した結果を前記クラウドサーバに送信するユーザ状況情報送信部を備える、
機器制御システム。
【国際調査報告】
2018003010.tif 000028
2018003010.tif 000029
2018003010.tif 000030
2018003010.tif 000031